【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
電子的に格納されたドキュメントの大きな集合体を維持し、そして問合せメッセージを出すユーザーに該ドキュメントを利用可能とするためのシステムであって、該システムは、
ａ．ドキュメントを電子的形式において格納するための少なくとも１つのデータ集合であって、各ドキュメントは一意的な識別子を有する、データ集合と、
ｂ．該少なくとも１つのデータ集合に対して追加されるべき新規のドキュメントを受け取り、そして新規のドキュメントを、これらの新規のドキュメントを該少なくとも1つのデータ集合において利用可能なものとして格納する前に、ドキュメントの上位ｎ個の一意的な逆ドキュメント頻度（ｉｄｆ）タームおよびドキュメント長さスカラを含む重複比較シグネチャと関連付けるための取入れ口コンポーネントと、
ｃ．該データ集合からの情報を探す、少なくとも１つのユーザーの問合せメッセージを受け取るための、ユーザーインターフェースコンポーネントと、
ｄ．少なくとも１つのユーザー問合せメッセージを処理して、応答するデータ集合中のドキュメントを同定し、そして、応答するドキュメントについての識別子を検索する、サーチコンポーネントと、
ｅ．該応答するドキュメントの重複比較シグネチャの中で比較を行って、そして比較シグネチャが正確に同一であるか、または予め決定された類似性の閾値内である場合に、重複を同定するための、重複検出コンポーネントと、
ｆ．ユーザーのドキュメント要求に対して応答する要求されたドキュメントを表示するためのデリバリーコンポーネントと
を備える、システム。
【請求項２】
前記重複比較シグネチャは、上位ｎ個の一意的なｉｄｆタームおよび前記ドキュメント中でのその相対的位置、およびドキュメント長スカラを含み、そしてｎが４から３０である、請求項１に記載のシステム。
【請求項３】
前記重複比較シグネチャは、トークンに基づく、上位ｎ個の一意的なｉｄｆタームおよび前記ドキュメント中でのその相対的位置、およびドキュメント長スカラを含み、長さスカラに関して予め決定された類似性閾値が０から２５６トークンの範囲である、請求項１に記載のシステム。
【請求項４】
前記システムは、クライアント−サーバー−アーキテクチャを利用し、そして、重複検出コンポーネントは、サーバー側にあり、そして、クライアント側に対して、重複の同定を伝達する、請求項１に記載のシステム。
【請求項５】
前記システムは、クライアント−サーバー−アーキテクチャを利用し、そして、クライアント側に対する重複の同定を用いて、ユーザーに伝達されたサーチ結果リストから該重複ドキュメントを取り除く、請求項１に記載のシステム。
【請求項６】
前記クライアント側において、ユーザーに伝達されたサーチ結果リストが、重複が見つけられたドキュメントの表示を含む、請求項５に記載のシステム。
【請求項７】
前記クライアント側において、ユーザーに伝達されたサーチ結果リストが、重複が見つけられたドキュメントの表示を含み、そして重複ドキュメントのセットが、ユーザーにとってアクセス可能にされる、請求項５に記載のシステム。
【請求項８】
電子的に格納されたドキュメントの大きな集合体を維持し、そして問合せメッセージを出すユーザーに該ドキュメントを利用可能とするためのシステムであって、該システムは、
ａ．ドキュメントを電子的形式において格納するための少なくとも１つのデータ集合であって、各ドキュメントは一意的な識別子を有する、データ集合と、
ｂ．該少なくとも１つのデータ集合に対して追加される新規のドキュメントを受け取り、新規のドキュメントのエンリッチメント処理を指示するための、取入れ口コンポーネントと、
ｃ．該少なくとも１つのデータ集合へのアクセスのためにドキュメントを解放することと実質的に同時に、受け取ったドキュメント内において、少なくとも１つのＰＩＴフィールドの位置決めをするか、または配置するための、該取入れ口コンポーネントと関連したタイムスタンプコンポーネントと、
ｄ．情報を供給するための複数のリソースアプリケーションコンポーネントであって、各リソースアプリケーションコンポーネントは、データ集合からの情報を探す、少なくとも１つのユーザーの問合せメッセージを受け取るための、ユーザーインターフェースコンポーネントを有する、リソースアプリケーションコンポーネントと、
ｅ．少なくとも１つのユーザー問合せメッセージを処理して、応答するデータ集合中のドキュメントを同定し、そして、応答するドキュメントについての識別子を検索する、サーチコンポーネントであって、該処理および検索は、少なくとも１つのＰＩＴフィールドに応答して、問合せメッセージのＰＩＴ制限に対して応答するドキュメントバージョンを位置決定する、サーチコンポーネントと、
ｆ．ユーザーのドキュメント要求と、該ユーザーのドキュメント要求を受け取る特定のリソースアプリケーションに対して応答して、該特定のリソースアプリケーションによって決定されたエンリッチメントを伴う位置決定されたドキュメントバージョンをデリバリーする、デリバリーコンポーネントと
を備える、システム。
【請求項９】
前記少なくとも１つのＰＩＴフィールドは、時間と日付の情報を含む、請求項８に記載のシステム。
【請求項１０】
前記少なくとも１つのＰＩＴフィールドは、バージョンの情報を含む、請求項８に記載のシステム。
【請求項１１】
前記少なくとも１つのＰＩＴフィールドは、法律の異なるバージョンを識別する、請求項８に記載のシステム。
【請求項１２】
ドキュメントを探す問合せメッセージを処理するためのシステムであって、
ａ．問合せメッセージを受け取るユーザーインターフェースであって、該ユーザーインターフェースは、システム上で実行する複数のリソースアプリケーションの１つ以上に対応し、各リソースアプリケーションは、分化された購読に関連し、該購読は、該リソースアプリケーションがアクセスを有する付加価値コンテンツのレベルを決定する、ユーザーインターフェースと、
ｂ．問合せメッセージに応答するユーザーに対するデリバリーのために、ドキュメントを格納するコンピュータアクセス可能なメモリ上の１つ以上のデータ集合と、
ｃ．該１つ以上のデータ集合中に格納されたドキュメントに対するメタデータを保持するコンピュータアクセス可能なメモリ上の１つ以上のメタデータ情報ファイルと、
ｄ．該１つ以上のデータ集合に追加されるべきドキュメントのコンテンツを格納する、かつ、処理する新規ドキュメント取入れ口コンポーネントであって、該取入れ口コンポーネントは、新規ドキュメントからメタデータを作成し、該１つ以上のデータ集合においてユーザーアクセスの用意ができているように、実質的に該新規ドキュメントを格納するのと同時に、該メタデータの少なくとも一部を該メタデータ情報ファイル中に格納するために、メタデータエクストラクタを使用し、該メタデータは、該新規ドキュメント取入れ口コンポーネントにデリバリーされた際の該新規ドキュメントのコンテンツから少なくとも一部が作成された付加価値コンテンツと、１つ以上のブランド識別属性とを含む、コンポーネントと、
ｅ．問合わせメッセージを受け取るリソースアプリケーションに応答して、該問合わせメッセージに応答する結果ドキュメントを対応するユーザーインターフェースを介してデリバリーするためのデリバリーコンポーネントであって、該結果ドキュメントのコンテンツは、該リソースアプリケーションに関連する購読によって決定されるような結果ドキュメントと関連する該メタデータの付加価値コンテンツで補充される、デリバリーコンポーネントと
ｆ．該コンポーネントを実行し、該コンピュータアクセス可能なメモリにアクセスするための少なくとも１つのプロセッサと
を備える、システム。
【請求項１３】
ドキュメントを探す問合せメッセージを処理するシステムであって、該システムは、
ａ．問合せメッセージを受け取るユーザーインターフェースであって、該ユーザーインターフェースは、システム上で実行する複数のリソースアプリケーションの１つ以上に対応し、各リソースアプリケーションは、分化された購読に関連し、該購読は、該リソースアプリケーションがアクセスを有する付加価値コンテンツのレベルを決定する、ユーザーインターフェースと、
ｂ．問合せメッセージに応答するユーザーに対するデリバリーのために、ドキュメントを格納するコンピュータアクセス可能なメモリ上の１つ以上のデータ集合と、
ｃ．該１つ以上のデータ集合中に格納されたドキュメントに対するメタデータを保持するコンピュータアクセス可能なメモリ上の１つ以上のメタデータ情報ファイルと、
ｄ．該１つ以上のデータ集合に追加されるべきドキュメントのコンテンツを格納し、かつ、処理する新規ドキュメント取入れ口コンポーネントであって、該取入れ口コンポーネントは、新規ドキュメントからメタデータを作成し、そして、該１つ以上のデータ集合においてユーザーアクセスの用意ができているように、実質的に該新規ドキュメントを格納するのと同時に、該メタデータの少なくとも一部を該メタデータ情報ファイル中に格納するために、メタデータエクストラクタを使用し、該メタデータは、新規ドキュメント取入れ口コンポーネントにデリバリーされた際に該新規ドキュメントのコンテンツから少なくとも部分的に作成される付加価値コンテンツと、該ドキュメントのデータ、パラメータ、および表示フォーマットの１つ以上に重なること、追加すること、削除することおよび修正することのうちの１つ以上に対してリソースアプリケーションによって使用するための情報とを含む、取入れ口コンポーネントと、
ｅ．問合わせメッセージを受け取るリソースアプリケーションに応答して、該問合わせメッセージに応答する結果ドキュメントを対応するユーザーインターフェースを介してデリバリーするためのデリバリーコンポーネントであって、該結果ドキュメントのコンテンツは、該リソースアプリケーションに関連する購読によって決定されるような結果ドキュメントと関連する該メタデータの付加価値コンテンツで補充される、デリバリーコンポーネントと、
ｆ．該コンポーネントを実行し、該コンピュータアクセス可能なメモリにアクセスするための少なくとも１つのプロセッサと
を備える、システム。
【請求項１４】
問合せメッセージを出すユーザーに対して、問合せ結果、および電子的に格納されたドキュメントの大きな集合体から選択されたドキュメントをデリバリーするための方法であって、該方法は、
ａ．ユーザーから、コンピュータアクセス可能なメモリ上のデータ集合中に電子的形式において格納されたドキュメントを探す電子的形式における問合せメッセージを引き出すために、コンピュータシステム上で実行する複数のリソースアプリケーションの１つ以上に関連するユーザーインターフェースに対するアクセスを提供することであって、各ドキュメントは、一意的な識別子と、関連するエンリッチメント属性とを有し、該エンリッチメント属性は、該ドキュメントのコンテンツから少なくとも部分的に作成された付加価値コンテンツを含み、各リソースアプリケーションは、分化された購読に関連し、該購読は、該リソースアプリケーションがアクセスを有する付加価値コンテンツのレベルを決定する、ことと、
ｂ．応答するデータ集合中のドキュメントを同定し、そして、応答するドキュメントに対する少なくとも１つの識別子を検索するための問合せメッセージを処理するために、該コンピュータシステム上で実行し、複数のリソースアプリケーションによって共有されるサーチコンポーネントに対してデリバリーされる問合せメッセージを提供することと、
ｃ．該問合せメッセージに対する応答において、該ユーザーに対して、１つ以上のドキュメントを同定する、該コンピュータシステムからのサーチ結果メッセージを提供することと、
ｄ．該サーチ結果メッセージからドキュメントを選択するユーザーのメッセージに応答して、予め決められた形式において、該選択されたドキュメントを該コンピュータシステムから該ユーザーインターフェースを介して該ユーザーまでデリバリーすることであって、該選択されたドキュメントは、該ユーザーインターフェースに関連する該１つ以上のリソースアプリケーションに関連する購読の少なくとも１つに基づいて選択されたエンリッチメント属性の付加価値コンテンツで補充される、ことと、
ｅ．該選択されたドキュメントを、時点のアトリビュートと関連付けて、選択されたドキュメントのアップデートされたバージョンの選択を許容する、ことと
を包含する、方法。
【請求項１５】
ユーザー問合せメッセージによって探される情報を小売するためのシステムであって、
ａ．問合せメッセージを受け取るユーザーインターフェースであって、該ユーザーインターフェースは、システム上で実行するリソースアプリケーションに対応し、該リソースアプリケーションは、分化された購読にそれぞれ関連する複数のリソースアプリケーションのうちの１つであり、該購読は、該リソースアプリケーションがアクセスを有する付加価値コンテンツのレベルを決定する、ユーザーインターフェースと、
ｂ．問合せメッセージに応答してユーザーにデリバリーするための、リソースアプリケーションのための目的のドキュメントを格納するコンピュータアクセス可能なメモリ上の１つ以上のデータ集合と、
ｃ．１つ以上のデータ集合中に格納されたドキュメントに対するメタデータを保持するコンピュータアクセス可能メモリ上の１つ以上のメタデータ情報ファイルと、
ｄ．１つ以上のデータ集合に追加されるべきドキュメントのコンテンツを受け取り、かつ、処理する新規ドキュメント取入れ口コンポーネントであって、該取入れ口コンポーネントは、新規ドキュメントからメタデータを作成し、そして、該１つ以上のデータ集合においてユーザーアクセスの用意ができているように、実質的に該新規ドキュメントを格納するのと同時に、該メタデータの少なくとも一部を該メタデータ情報ファイル中に格納するためにメタデータエクストラクタを使用し、該メタデータは、新規ドキュメント取入れ口コンポーネントにデリバリーされた際に該新規ドキュメントのコンテンツから少なくとも部分的に作成される付加価値コンテンツを含む、取入れ口コンポーネントと、
ｅ．問合せメッセージに応答した１つ以上のデータ集合に対するアクセスを制御し、そして、１つ以上のデータ集合に対するアクセスについてユーザーに課金するための情報を作成するための、複数のリソースアプリケーションによって共有されるセキュリティサービスおよび課金サービスと、
ｆ．リソースアプリケーションによって受け取られる問合わせメッセージに応答して、該問合わせメッセージに応答するサーチ結果ドキュメントをデリバリーするデリバリーコンポーネントであって、該結果ドキュメントのコンテンツは、該リソースアプリケーションに関連する購読によって決定されるような結果ドキュメントと関連する該メタデータの付加価値コンテンツで補充される、デリバリーコンポーネントと、
ｇ．該コンポーネントを実行し、該コンピュータアクセス可能なメモリにアクセスするための少なくとも１つのプロセッサと
を備える、システム。
【請求項１６】
前記１つ以上のデータ集合は、以下のタイプの情報：法律、税金、会計、医療、科学、知的財産、教育課程の教材またはニュース、の１つ以上を含む、請求項１５に記載のシステム。
【請求項１７】
前記システムは、さらに、各々のタイプの情報について、複数のノードを有する少なくとも１つのコンテンツのテーブルを維持するためのコンテンツサービスのテーブルを含み、該ノードの１つ以上は、該１つ以上のノードに関連する１つ以上のドキュメントを同定し、少なくとも１つのドキュメントは、１つよりも多いコンテンツのテーブルにおいて同定される、請求項１６に記載のシステム。
【請求項１８】
ドキュメントを探す問合せメッセージを処理するシステムであって、該システムは、
ａ．問合せメッセージを受け取るユーザーインターフェースであって、該ユーザーインターフェースは、システム上で実行するリソースアプリケーションに対応し、該リソースアプリケーションは、分化された購読にそれぞれ関連する複数のリソースアプリケーションのうちの１つであり、該購読は、該リソースアプリケーションがアクセスを有する付加価値コンテンツのレベルを決定する、ユーザーインターフェースと、
ｂ．問合せメッセージに応答するユーザーに対するデリバリーのために、ドキュメントを格納するコンピュータアクセス可能なメモリ上の１つ以上のデータ集合と、
ｃ．該１つ以上のデータ集合に格納されたドキュメントに対するメタデータを保持するコンピュータアクセス可能なメモリ上の１つ以上のメタデータ情報ファイルと、
ｄ．該１つ以上のデータ集合に追加されるべきドキュメントのコンテンツを受け取り、かつ、処理する新規ドキュメント取入れ口コンポーネントであって、該新規ドキュメント取入れ口コンポーネントは、新規ドキュメントからリソース記述フレームワーク（ＲＤＦ）ステートメントの形式のメタデータを作成し、該１つ以上のデータ集合においてユーザーアクセスの用意ができているように、実質的に該新規ドキュメントを格納するのと同時に、該メタデータの少なくとも一部を該メタデータ情報ファイル中に格納するためにメタデータエクストラクタを使用し、該メタデータは、新規ドキュメント取入れ口コンポーネントにデリバリーされた際に該新規ドキュメントのコンテンツから少なくとも部分的に作成される付加価値コンテンツを含む、新規ドキュメント取入れ口コンポーネントと、
ｅ．リソースアプリケーションによって受け取られた問合わせメッセージに応答して、該問合わせメッセージに応答するサーチ結果ドキュメントをデリバリーするデリバリーコンポーネントであって、該結果ドキュメントのコンテンツは、該リソースアプリケーションに関連する購読によって決定されるような結果ドキュメントと関連する該メタデータの付加価値コンテンツで補充される、デリバリーコンポーネントと、
ｆ．該コンポーネントを実行し、該コンピュータアクセス可能なメモリにアクセスするための少なくとも１つのプロセッサと
を備える、システム。
【請求項１９】
前記システムは、各タイプの情報についての複数のノードを有するコンテンツの少なくとも１つのテーブルを維持するための、コンテンツサービスのテーブルをさらに備え、前記メタデータエクストラクタの少なくとも１つは、ＲＤＦステートメントための語彙として、コンテンツの少なくとも１つのテーブルのノードのラベルを用いる、請求項１８に記載のシステム。